(57)【要約】【課題】簡単な作業によりミキサドラム内に付着した生コンクリート、特にブレードの内面側に付着する生コンクリートや、ホッパからミキサドラム内に生コンクリートを供給する供給筒内に付着する生コンクリートを綺麗に取り除くことができるミキサ車を提供する。【解決手段】内部にブレード３を有するミキサドラム２が車体上に回転自在に搭載され、このミキサドラム２の後端後方にホッパ４が設けられるとともに、ホッパ４下部に形成された排出部４ａがブレード３に連設された供給筒５を通じてミキサドラム２内に連通されたミキサ車１において、ブレード３の後端部に臨んで第１洗浄ノズル８１が洗浄水を当該ブレード３後端部の内面側に噴射するように配置されている。ホッパ４下部に形成された排出部４ａと供給筒５との連通部分上部に開口部４２が設けられ、開口部４２に臨んで第２洗浄ノズル８２が洗浄水を供給筒５内に噴射するように配置されている。【選択図】  図１
2005199859.tif 000002
【特許請求の範囲】
【請求項１】
内部にブレードを有するミキサドラムが車体上に回転自在に搭載され、このミキサドラムの後端後方にホッパが設けられるとともに、ホッパ下部に形成された排出部が上記ブレードに連設された供給筒を通じてミキサドラム内に連通されたミキサ車において、
前記ブレードの後端部に臨んで第１洗浄ノズルが洗浄水を当該ブレード後端部の内面側に噴射するように配置されたことを特徴とするミキサ車。
【請求項２】
前記ホッパ下部に形成された排出部と前記供給筒との連通部分上部に開口部が設けられ、該開口部に臨んで第２洗浄ノズルが洗浄水を供給筒内に噴射するように配置されたことを特徴とする請求項１記載のミキサ車。
【発明の詳細な説明】
【技術分野】
【０００１】
本発明は、生コンクリートを建築現場等に運搬するミキサ車に関する。
【背景技術】
【０００２】
生コンクリートを混練しながら建築現場等に運搬するミキサ車は周知である。
【０００３】
このようなミキサ車においては、ミキサドラムから生コンを排出した作業終了後にミキサドラムの内部に生コンクリートが付着したまま残るとそのまま固化してしまうため、これを取り除く必要がある。
【０００４】
そこで、従来では、例えばミキサドラムの後端の排出通路を閉塞し、当該ミキサドラム内でブレードの作用により洗浄水を前後に循環させることによって、内部に付着した生コンクリートを取り除くようにしていた（特許文献１参照。）。
【特許文献１】特開昭５７−７７３０号公報
【発明の開示】
【発明が解決しようとする課題】
【０００５】
しかしながら、ミキサドラム内の洗浄を行う度に排出通路を作業者が閉塞する面倒な作業を行わなければならず作業効率が悪いとともに、ブレードの作用による循環流の作用だけでは強い洗浄力を得ることができず、生コンクリートが付着したまま残ってしまう虞もあった。
【０００６】
本発明は、上記問題点に鑑みてなされたもので、その目的とするところは、簡単な作業によりミキサドラム内に付着した生コンクリート、特にブレードの内面側に付着する生コンクリートや、ホッパからミキサドラム内に生コンクリートを供給する供給筒内に付着する生コンクリートを綺麗に取り除くことができるミキサ車を提供することにある。
【課題を解決するための手段】
【０００７】
上記の目的を達成するため、請求項１に係る発明のミキサ車は、内部にブレードを有するミキサドラムが車体上に回転自在に搭載され、このミキサドラムの後端後方にホッパが設けられるとともに、ホッパ下部に形成された排出部が上記ブレードに連設された供給筒を通じてミキサドラム内に連通されたミキサ車において、前記ブレードの後端部に臨んで第１洗浄ノズルが洗浄水を当該ブレード後端部の内面側に噴射するように配置されたものである。
【０００８】
請求項２に係る発明のミキサ車は、前記ホッパ下部に形成された排出部と前記供給筒との連通部分上部に開口部が設けられ、該開口部に臨んで第２洗浄ノズルが洗浄水を供給筒内に噴射するように配置されたものである。
【発明の効果】
【０００９】
本発明によれば、洗浄ノズルから洗浄水を噴射するだけの簡単な作業で、しかも洗浄ノズルからの洗浄水の強い噴射力によってミキサドラム内、特にブレードの内面側に付着する生コンクリートを綺麗に洗浄することができる。
【発明を実施するための最良の形態】
【００１０】
以下、本発明の実施の形態について図面を参照して説明する。
【００１１】
図１及び図２は、本発明のミキサ車を示している。
【００１２】
このミキサ車１は、図示しない車輌の車台上にミキサドラム２がその軸芯を中心にして円周方向に回転自在に搭載されている。
【００１３】
ミキサドラム２は、車台に設けられた図示しない駆動装置により正逆方向に回転可能に構成されている。
【００１４】
また、ミキサドラム２の内部には、ブレード３が螺旋状に設けられており、当該ミキサドラム２の正逆方向の回転に伴うブレード３の作用により生コンクリートの投入及び混練、又は排出を行うようになされている。
【００１５】
このミキサドラム２の後端後方には、生コンクリートをミキサドラム２内に投入するホッパ４が配設されており、ホッパ４下部に形成された排出部４ａが前記ブレード３の後端部に連設された円筒状の供給筒５に連通されている。従って、ホッパ４に投入された生コンクリートは当該ホッパ４の排出部４ａから供給筒５を通じてミキサドラム２内に投入される。
【００１６】
また、ホッパ４の下方には左右一対のスクープ６がＶ字状に設けられ、このスクープ６の下端部に排出シュート７が連設されている。従って、ミキサドラム２の排出方向への回転により生コンクリートは当該ミキサドラム２の後端からスクープ６に投下されて排出シュート７を通じて外部に排出される。
【００１７】
ところで、このように構成されたミキサ車には、第１洗浄ノズル８１及び第２洗浄ノズル８２を有する洗浄装置８が設けられている。
【００１８】
第１洗浄ノズル８１は、ミキサドラム２の後端開口に臨んで、且つブレード３後端部の内面側に洗浄水が噴射できるように、ブレード３後端部と干渉しない範囲で配設されている。
【００１９】
第２洗浄ノズル８２は、供給筒５とホッパ４の排出部４ａとの連通部分上方に配置されている。この連通部分は、ホッパ４の排出部４ａに環状のパッキン４１を供給筒５の外周面受入端側に亘って配設しており、ブレード３の回転に伴いパッキン４１を摺接しながら供給筒５が回転することで、当該供給筒５の回転を許容する形で供給筒５とホッパ４の排出部４ａを連通させている。従って、上記パッキン４１の上部に開口部４２を形成し、この開口部４２に臨んで第２洗浄ノズル８２を配置している。
【００２０】
これら第１、第２洗浄ノズル８１、８２は、各供給ホース８３により図示しないがポンプを介して洗浄水を貯留する貯留槽に連通されており、ポンプにより貯留槽から供給される洗浄水を所定の噴射力で噴射するようになされている。
【００２１】
このように洗浄装置８を構成することにより、生コンクリートを外部に排出した運搬作業終了後には、第１、第２洗浄ノズル８１、８２から洗浄水を噴射することにより、ミキサドラム２内及び供給筒５内を簡単に洗浄することができる。
【００２２】
具体的には、第１洗浄ノズル８１からの洗浄水の噴射により、当該洗浄水がブレード３の後端部に噴射され、この強い噴射力によりブレード３に付着した生コンクリートを取り除く。特に、第１洗浄ノズル８１ではブレード３の後端部内面側にも洗浄水を噴射しているため、ミキサドラム２の内周面とブレード３の内面の付け根の部分に付着する生コンクリートも綺麗に取り除くことができる。
【００２３】
また、第２洗浄ノズル８２からの洗浄水の噴射により、開口部４２を通じて洗浄水を内部に噴射することで、この強い噴射力により供給筒５内に付着した生コンクリートを綺麗に取り除くことができる。
【００２４】
このように各洗浄ノズル８１、８２から洗浄水を噴射するだけの簡単な作業で、しかも各洗浄ノズル８１、８２からの強い噴射力によってミキサドラム２内を綺麗に洗浄することができる。
【００２５】
なお、上述した実施形態は、あくまでも本発明の好適な実施態様を示すものであって、本発明はこれに限定されることなく、その範囲内において種々設計変更可能である。
【００２６】
例えば、第１洗浄ノズル８１及び第２洗浄ノズル８２の数は各１個に限らず、必要に応じてそれぞれ適数本を設ければよい。
【図面の簡単な説明】
【００２７】
【図１】本発明のミキサ車のミキサドラム後端部周辺を示す一部破断の側面図である。
【図２】同じくミキサ車のミキサドラム後端部を示す背面図である。
【符号の説明】
【００２８】
１  ミキサ車
２  ミキサドラム
３  ブレード
４  ホッパ
４ａ  排出部
５  供給筒
８  洗浄装置
８１  第１洗浄ノズル
８２  第２洗浄ノズル
【図１】
2005199859.tif 000003
【図２】
2005199859.tif 000004